(57)【要約】【課題】  鼻の側面に跡が付いて痛みが生じるようなことがなく、快適な装着感が得られるノーズパッドを提供する。【解決手段】  パッド本体２と、パッド本体２の中心部に一体に設けられるパッド芯４０とを備える。パッド本体２は、表面３、裏面及び側面３１が１つ又は複数の曲面を組み合わせて構成され、表面３を構成する曲面は、鼻の表面にほぼ合致した曲率の曲面に形成される。メガネを顔に装着し、テンプルを耳に掛け、ノーズパッド１を鼻の側面に接触させることにより、メガネが顔の所定の位置に保持される。パッド本体２の表面３は、鼻の表面にほぼ合致した曲面に形成されているので、メガネからの荷重をパッド本体２の全体に分散させることができ、鼻の表面にパッド本体２の跡が付くようなことはなく、快適な装着感が得られる。【選択図】        図４
2006106273.tif 000002
【特許請求の範囲】
【請求項１】
パッド本体と、該パッド本体の中心部に一体に設けられるパッド芯とからなるノーズパッドであって、
前記パッド本体の表面を所定の曲率の曲面に形成したことを特徴とするノーズパッド。
【請求項２】
前記パッド本体の表面は、所定の曲率の１つの曲面からなることを特徴とする請求項１に記載のノーズパッド。
【請求項３】
前記パッド本体の表面は、曲率の異なる複数の曲面を組み合わせてなることを特徴とする請求項１に記載のノーズパッド。
【請求項４】
前記パッド本体は、前記パッド芯を通る線を中心として、中心線の一方側と他方側の形状が略同一の左右対称に形成されていることを特徴とする請求項１から３の何れかに記載のノーズパッド。
【請求項５】
前記パッド本体は、前記パッド芯の中心を通る線を中心として、中心線の一方側と他方側の形状が異なる左右非対称に形成されていることを特徴とする請求項１から３の何れかに記載のノーズパッド。
【請求項６】
前記パッド本体の表面側の縁部は、全周に渡って他の部分よりも曲率の小さい曲面に形成されていることを特徴とする請求項１から５の何れかに記載のノーズパッド。
【請求項７】
前記パッド本体の裏面は、曲率の異なる複数の曲面を組み合わせてなる凹面に形成されていることを特徴とする請求項１から６の何れかに記載のノーズパッド。
【請求項８】
前記パッド本体は、長手方向の一端部が他端部よりも幅狭に形成されていることを特徴とする請求項１から６の何れかに記載のノーズパッド。
【発明の詳細な説明】
【技術分野】
【０００１】
本発明は、ノーズパッドに関し、特に、装着感に優れた特性を有するノーズパッドに関する。
【背景技術】
【０００２】
ノーズパッドの一例として、樹脂等から形成される楕円形板状のパッド本体と、パッド本体の中心部に一体に設けられ金属から形成されるパッド芯とを備えたノーズパッドが知られている。
【０００３】
この場合、ノーズパッドの表面及び裏面は、全体に渡って略均一の平面に形成されるとともに、表面と裏面との間に位置している側面は、全周に渡ってやや丸みの帯びた曲面に形成されている。
【０００４】
そして、上記のような構成のノーズパッドのパッド芯をメガネフレームのパッド足にねじによって取り付け、リムの内側にレンズを取り付けることによりメガネを構成し、メガネを顔に装着してテンプルを耳に掛け、ノーズパッドを鼻の側面に接触させることにより、メガネを顔の所定の位置に保持することができ、ノーズパッドとしての機能を発揮させることができるものである（例えば、非特許文献１参照。）。
【非特許文献１】日本工業規格、眼鏡枠の用語（ＪＩＳ  Ｂ  ７２８０）、付図２〜６
【発明の開示】
【発明が解決しようとする課題】
【０００５】
ところで、上記のような構成のノーズパッドにあっては、メガネを顔に装着した場合に、パッド本体の表面が平面に形成されているのに対して、鼻の表面は人によって差があるものの緩やかな曲面に形成されているため、鼻の表面にパッド本体が食い込み、パッド本体の周縁部に荷重が集中して鼻の表面にパッド本体の跡が付き、痛みが生じてしまう。このため、長時間の使用に耐えることが困難になる。
【０００６】
一方、上記のような問題を解決するために、パッド本体を軟質のシリコン樹脂等によって形成し、メガネからの荷重を分散させることにより、パッド本体の跡が鼻の表面に付くのを防止するように構成したノーズパッドが提案されている。
【０００７】
しかし、このような構成のノーズパッドにあっても、鼻の表面にパッド本体による跡が付くことを完全に防止することができず、痛みが生じることを完全に避けることができず、長時間の使用に耐えることが困難になる。
【０００８】
本発明は、上記のような従来の問題を解決したものであって、メガネを長時間使用しても、パッド本体の跡が鼻の表面に付いて痛みが生じるようなことはなく、長時間の使用に十分に耐えることができるノーズパッドを提供することを目的とするものである。
【課題を解決するための手段】
【０００９】
上記のような課題を解決するために、本発明の請求項１に係るノーズパッドは、パッド本体と、該パッド本体の中心部に一体に設けられるパッド芯とからなるノーズパッドであって、前記パッド本体の表面を所定の曲率の曲面に形成した手段を採用している。
【００１０】
また、本発明の請求項２に係るノーズパッドは、請求項１に記載のノーズパッドであって、前記パッド本体の表面は、所定の曲率の１つの曲面からなる手段を採用している。
【００１１】
さらに、本発明の請求項３に係るノーズパッドは、請求項１に記載のノーズパッドであって、前記パッド本体の表面は、曲率の異なる複数の曲面を組み合わせてなる手段を採用している。
【００１２】
さらに、本発明の請求項４に係るノーズパッドは、請求項１から３の何れかに記載のノーズパッドであって、前記パッド本体は、前記パッド芯を通る線を中心として、中心線の一方側と他方側の形状が略同一の左右対称に形成されている手段を採用している。
【００１３】
さらに、本発明の請求項５に係るノーズパッドは、請求項１から３の何れかに記載のノーズパッドであって、前記パッド本体は、前記パッド芯の中心を通る線を中心として、中心線の一方側と他方側の形状が異なる左右非対称に形成されている手段を採用している。
【００１４】
さらに、本発明の請求項６に係るノーズパッドは、請求項１から５の何れかに記載のノーズパッドであって、前記パッド本体の表面側の縁部は、全周に渡って他の部分よりも曲率の小さい曲面に形成されている手段を採用している。
【００１５】
さらに、本発明の請求項７に係るノーズパッドは、請求項１から６の何れかに記載のノーズパッドであって、前記パッド本体の裏面は、曲率の異なる複数の曲面を組み合わせてなる凹面に形成されている手段を採用している。
【００１６】
さらに、本発明の請求項８に係るノーズパッドは、請求項１から６の何れかに記載のノーズパッドであって、前記パッド本体は、長手方向の一端部が他端部よりも幅狭に形成されている手段を採用している。
【発明の効果】
【００１７】
本発明は、前記のように、パッド本体の表面を１つ又は複数の曲面を組み合わせて構成したことにより、パッド本体の表面を鼻の表面の曲面に合致させることができる。従って、メガネからの荷重をノーズパッドで支えた場合に、パッド本体の表面の１箇所にメガネからの荷重が集中するようなことはなく、荷重をパッド本体の全体に分散させることができるので、パッド本体の跡が鼻の表面に付いて痛みが生じるようなことはなく、快適な装着感が得られ、長時間の使用にも十分に耐えられることになる。
また、パッド本体は、パッド芯の中心を通る線を中心として、中心線を基準として左右対称又は左右非対称に形成されているので、鼻の表面の形状に応じた形状のパッド本体を選択することにより、鼻の表面の形状の異なる多くの人々に対して良好な装着感を提供することができる。
【発明を実施するための最良の形態】
【００１８】
以下、図面を参照しつつ、本発明の実施の形態について説明する。
図１〜図３には、本発明によるノーズパッドの第１の実施の形態が示されていて、このノーズパッド１は、パッド本体２と、パッド本体２に一体に設けられるパッド芯４０とを備えている。
【００１９】
パッド本体２は、シリコン樹脂等の各種の樹脂材から形成されるものであって、後述するパッド芯４０の中心を通る中心線３５を中心として、中心線３５の向かって左側と右側の形状が略同一の左右対称に形成されている。この実施の形態においては、外形を一端から他端にかけて順次幅狭となる略楕円形状とするために、周面を２つのアール面１０、１１と２つの平面２２、２２とを組み合わせて構成している。
【００２０】
パッド本体２は、表面３、裏面２５及び側面３１（周面）が１つ又は複数の曲面４〜６、２６〜２８、３２を組み合わせて構成され、これらの複数の曲面４〜６、２６〜２８、３２により全体が表面３側から裏面２５側に反り返った形状に形成されている。
【００２１】
すなわち、パッド本体２の表面３は、図２に示すように、長手方向の両縁部を除く全体が所定の曲率の１つの曲面４によって構成され、図３に示すように、幅方向の両縁部を除く全体が所定の曲率の１つの曲面６によって構成されている。また、図２に示すように、長手方向の両縁部が長手方向の他の部分よりも曲率の小さい曲面５、５によって構成され、図３に示すように、幅方向の両縁部が幅方向の他の部分よりも曲率の小さい曲面５、５によって構成されている。
【００２２】
また、パッド本体２の裏面２５は、図２に示すように、長手方向の両縁部を除く全体が所定の曲率の１つの曲面２６によって構成され、図３に示すように、幅方向の両縁部を除く全体が所定の曲率の１つの曲面２８によって構成されている。また、図２に示すように、長手方向の両縁部が長手方向の他の部分よりも曲率の小さな曲面２７、２７によって構成され、図３に示すように、幅方向の両縁部が幅方向の他の部分よりも曲率の小さな曲面２７、２７によって構成されている。
【００２３】
パッド本体２の表面３と裏面２５とは、略平行をなすように、各々の曲面４〜６、２６〜２８の曲率を設定することが好ましい。また、パッド本体２は、中央部の厚みが最大となるように、全体の厚みを設定するのが好ましい。
【００２４】
さらに、パッド本体２の側面３１（周面）は、図２及び図３に示すように、全周に渡って所定の曲率の１つの曲面３２から構成され、この曲面３２によってパッド本体２の表面３と裏面２５との間が滑らかに連結されている。
【００２５】
そして、上記のような複数の曲面４〜６、２６〜２８、３２によって、パッド本体２の表面３、裏面２５及び側面３１を構成することにより、パッド本体２が表面３側から裏面２５側に反り返った形状に形成される。
【００２６】
パッド芯４０は、楕円形板状の頭部４１と、頭部４１の裏面中央部に一体に立設される角柱状の脚部４２とからなり、脚部４２の先端部にはねじ挿通用の孔４３が貫通した状態で設けられている。
【００２７】
パッド芯４０は、頭部４１の全体がパッド本体２の中心部に埋設され、脚部４２がパッド本体２の裏面２５から外方に突出している。この場合、脚部４２の先端部がパッド本体２の裏面２５の先端よりも外方に僅かに突出するように、脚部４２の長さが設定されている。
【００２８】
パッド芯４０の材質は特に制限されるものではなく、各種の金属、樹脂等によって形成することができる。但し、メガネの荷重によって変形しない剛性を有することが必要である。
【００２９】
そして、上記のように構成したこの実施の形態によるノーズパッド１のパッド芯４０を、例えばフルリムタイプのメガネフレーム（図示せず）のパッド足（図示せず）にねじ（図示せず）によって取り付け、メガネフレームのリム（図示せず）の内側の部分にレンズ（図示せず）を取り付けることによりメガネ（図示せず）を構成する。
【００３０】
そして、テンプル（図示せず）を耳に掛け、ノーズパッド１を鼻の側面に当接させ、メガネを顔の所定の位置に保持することにより、レンズを通しての視界が得られることになる。
【００３１】
上記のように構成したこの実施の形態によるノーズパッド１にあっては、パッド本体２の表面３を異なる曲率の複数の曲面４〜６を組み合わせて構成し、この曲面４〜６の曲率を鼻の表面にほぼ合致する曲率に設定したので、パッド本体２の表面３を鼻の側面に接触させた場合に、パッド本体２の表面３の縁部にメガネからの荷重が集中するようなことはなく、パッド本体２の表面３の全体に荷重を分散させることができることになる。
【００３２】
従って、パッド本体２の形状に鼻の表面に跡が付いて痛みが生じるようなことはなく、快適な装着感が長時間に渡って得られることになり、長時間の使用にも十分に耐えられることになる。
【００３３】
また、パッド本体２の表面３側の周縁部は他の部分よりも曲率の小さい曲面５、５によって構成されているので、パッド本体２の表面３側の周縁部が鼻の表面に引っ掛かるようなこともなく、快適な装着感が得られることになる。
【００３４】
さらに、長手方向の一端部を他端部よりも幅広に形成したので、鼻の表面の形状に応じて、幅広の一端部を上方又は下方に向けて使用することにより、鼻の表面の形状の異なる多くの人々に快適な装着感を提供することができる。
【００３５】
図４〜図６には、本発明によるノーズパッドの第２の実施の形態が示されていて、このノーズパッド１は、パッド本体２の表面３、裏面２５及び側面３１（周面）を１つ又は複数の曲面４〜８、２６〜３０、３２を組み合わせて構成するとともに、パッド本体２を、パッド芯４０を通る中心線３５を中心として、中心線３５の一方側と他方側の形状が異なる左右非対称に形成したものであって、その他の構成は前記第１の実施の形態に示すものと同様である。なお、図４〜図６に示すノーズパッド１は、鼻の右側面用であり、鼻の左側面用のものは図４〜図６に示すものと左右対称となるので、その詳細な説明は省略するものとする。
【００３６】
すなわち、この実施の形態に示すノーズパッド１のパッド本体２は、パッド芯４０の中心を通る中心線３５の向かって右側の部分が略半楕円形状に形成され、左側の部分が略長方形状に形成されている。また、長手方向の中央部の幅が最大となり、その中央部から長手方向の一端及び他端にかけて順次幅狭となるように、パッド本体２の外形は大小８つのアール面１２〜１９と２つの平面２１、２２を組み合わせて構成されている。
【００３７】
パッド本体２の表面３は、図５に示すように、長手方向の両縁部を除く全体が所定の曲率の１つの曲面４から構成され、図６に示すように、幅方向の一方の縁部を除く全体が所定の曲率の１つの曲面７から構成されている。また、図５に示すように、長手方向の一方の縁部が他の部分よりも曲率の小さい曲面５から構成され、長手方向の他方の縁部が一方の縁部よりも更に曲率の小さい曲面６から構成され、図６に示すように、幅方向の一方の縁部が他の部分よりも曲率の小さい曲面８から構成されている。
【００３８】
パッド本体２の裏面２５は、図５に示すように、長手方向の両縁部を除く全体が所定の曲率の１つの曲面２６から構成され、図６に示すように、幅方向の一方の縁部を除く全体が所定の曲率の１つの曲面２９から構成されている。また、図５に示すように、長手方向の一方の縁部が他の部分よりも曲率の小さい曲面２７から構成され、長手方向の他方の縁部が一方の縁部よりも更に曲率の小さい曲面２８から構成され、図６に示すように、幅方向の一方の縁部が他の部分よりも曲率の小さい曲面３０から構成されている。
【００３９】
パッド本体２の表面３と裏面２５とは、略平行をなすように、各曲面４〜８、２６〜３０の曲率を設定するのが好ましい。また、パッド本体２は、中央部の厚みが最大となるように、全体の厚みを設定するのが好ましい。
【００４０】
パッド本体２の側面３１（周面）は、図５及び図６に示すように、全周に渡って所定の曲率の１つの曲面３２によって構成され、この曲面３２によりパッド本体２の表面３と裏面２５との間が滑らかに連結されている。
【００４１】
パッド芯４０は、前記第１の実施の形態に示すものと同様の構成を有しており、図５及び図６に示すように、頭部４１がパッド本体２の中心部に埋設され、脚部４２がパッド本体２の裏面２５から外方に突出している。この場合、パッド芯４０は、脚部４２の先端部がパッド本体２の裏面２５の先端よりも僅かに外方に突出するように、脚部４２の長さが設定されている。
【００４２】
そして、上記のように構成したこの実施の形態によるノーズパッド１のパッド芯４０を、例えばフルリムタイプのメガネフレーム（図示せず）のパッド足（図示せず）にねじ（図示せず）によって取り付け、メガネフレームのリム（図示せず）の内側の部分にレンズ（図示せず）を取り付けることによりメガネ（図示せず）を構成する。
【００４３】
そして、テンプル（図示せず）を耳に掛け、ノーズパッド１を鼻の側面に当接させ、メガネを顔の所定の位置に保持することにより、レンズを通しての視界が得られることになる。
【００４４】
上記のように構成したこの実施の形態によるノーズパッド１にあっては、パッド本体２の表面３を異なる曲率の複数の曲面４〜８を組み合わせて構成し、この曲面４〜８の曲率を鼻の表面にほぼ合致する値に設定しているので、パッド本体２の表面３を鼻の側面に接触させた場合に、パッド本体２の表面３の一部にメガネからの荷重が集中するようなことはなく、パッド本体２の表面３の全体に荷重を分散させることができる。
【００４５】
従って、パッド本体２の形状に鼻の表面に跡が付いて痛みが生じるようなことはなく、快適な装着感が長時間に渡って得られることになり、長時間の使用にも十分に耐えられることになる。
【００４６】
また、パッド本体２の周縁部を他の部分よりも曲率の小さい曲面５、６、８によって構成しているので、パッド本体２の周縁部が鼻の表面に引っ掛かるのを防止でき、快適な装着感が得られることになる。
【００４７】
さらに、パッド本体２の外形を、パッド芯４０を通る中心線３５を中心として左右非対称に形成しているので、必要以上にパッド本体２の表面３が鼻の表面に接触することはなく、快適な装着感が得られる。さらに、見栄えを良くすることもできる。
【図面の簡単な説明】
【００４８】
【図１】本発明によるノーズパッドの第１の実施の形態を示した平面図である。
【図２】図１のＡ−Ａ線断面図である。
【図３】図１のＢ−Ｂ線断面図である。
【図４】本発明によるノーズパッドの第２の実施の形態を示した平面図である。
【図５】図４のＡ−Ａ線断面図である。
【図６】図４のＢ−Ｂ線断面図である。
【符号の説明】
【００４９】
１  ノーズパッド
２  パッド本体
３  表面
４、５、６、７、８  曲面
１０、１１、１２、１３、１４、１５、１６、１７、１８、１９  アール面
２１、２２  平面
２５  裏面
２６、２７、２８、２９、３０  曲面
３１  側面（周面）
３２  曲面
３５  中心線
４０  パッド芯
４１  頭部
４２  脚部
４３  ねじ挿通用の孔
【図１】
2006106273.tif 000003
【図２】
2006106273.tif 000004
【図３】
2006106273.tif 000005
【図４】
2006106273.tif 000006
【図５】
2006106273.tif 000007
【図６】
2006106273.tif 000008